(57)【特許請求の範囲】
【請求項１】
回転可能な操作ダイヤルと、
前記操作ダイヤルの上面に備えられる表示部と、
前記操作ダイヤルの上面への接触を検出する接触検出部と、
前記操作ダイヤルの上面への接触が検出されるたびにロック状態とアンロック状態とを交互に切り替えるロック状態切替部と、
前記操作ダイヤルの回転を検出する回転検出部と、
前記アンロック状態の場合にのみ前記操作ダイヤルの回転に応じて設定を順番に切り替える設定切替部と、
前記表示部の表示を制御する表示制御部であって、ロックボタンのイメージ画像及び現在選択されている設定を表示させる表示制御部と、
を備えた設定装置。
【請求項２】
前記接触検出部は、前記ロックボタンのイメージ画像の表示部分への接触を検出する、
請求項１に記載の設定装置。
【請求項３】
前記接触検出部は、前記ロックボタンのイメージ画像の表示領域に対応した検出領域を有する、
請求項１又は２に記載の設定装置。
【請求項４】
前記表示制御部は、前記ロック状態と前記アンロック状態とで前記表示部の表示形態を切り替える、
請求項１から３のいずれか１項に記載の設定装置。
【請求項５】
前記表示制御部は、前記ロック状態と前記アンロック状態とで前記ロックボタンのイメージ画像を切り替える、
請求項４に記載の設定装置。
【請求項６】
前記表示制御部は、前記ロック状態と前記アンロック状態とで前記ロックボタンのイメージ画像の色を切り替える、
請求項５に記載の設定装置。
【請求項７】
前記表示制御部は、前記操作ダイヤルの回転中心にロックボタンのイメージ画像を表示させ、かつ、現在設定表示位置に現在選択されている設定を表示させるよう、表示部を制御する
請求項１から６のいずれか１項に記載の設定装置。
【請求項８】
前記表示制御部は、前記現在設定表示位置に表示されている設定及び選択可能な設定を同一円周上に並べて表示させる、
請求項７に記載の設定装置。
【請求項９】
前記表示制御部は、前記現在設定表示位置に表示されている設定を他の選択可能な設定よりも大きく表示させる、
請求項７または８に記載の設定装置。
【請求項１０】
請求項１から９のいずれか１項に記載の設定装置を備えたカメラ。
【請求項１１】
前記ロック状態の場合に前記操作ダイヤルが回転すると、前記ロック状態であることを音で告知する音声出力部を備えた
請求項１０に記載のカメラ。
【請求項１２】
前記ロック状態の場合に、前記ロック状態であることを表示するモニターを備えた
請求項１０に記載のカメラ。
【発明の詳細な説明】
【技術分野】
【０００１】
本発明は、設定装置及びカメラに係り、特に回転式の操作ダイヤルを使用した設定装置、及び、その設定装置を備えたカメラに関する。
【背景技術】
【０００２】
回転式の操作ダイヤルを使用した設定装置は、直感的な操作が可能であり、また、設定状況も一目で確認できるため、多くの機器で採用されている。特に、カメラでは、各種撮影条件（たとえば、シャッタースピード、感度、露出補正値、撮影モード等）を設定する手段として、回転式の操作ダイヤルを使用した設定装置が古くから利用されている。【０００３】
この種の設定装置として、特許文献１には、操作ダイヤルの上面に表示部を備えた設定装置が記載されている。特許文献１の設定装置では、操作ダイヤルの回転操作に応じて、表示部の表示が切り替えられる。また、特許文献２には、操作ダイヤルの上面に表示部及びタッチパネルを備えた設定装置が記載されている。特許文献２の設定装置では、タッチパネルへのタッチ操作によって、表示部に表示される項目が切り替えられる。【０００４】
また、この種の設定装置には、意図せずに設定が変更してしまうのを防止するための機構が備えられる場合がある。たとえば、特許文献３及び４には、操作ダイヤルをメカニカルにロックする機構を備えた設定装置が記載されている。また、特許文献５には、操作ダイヤルが回転操作された場合であっても、設定が変更しないように、設定の変更を禁止する手段を備えた設定装置が記載されている。
【先行技術文献】
【特許文献】
【０００５】
【特許文献１】特開2008-165118号公報
【特許文献２】特開2014-202837号公報
【特許文献３】特開平7-134320号公報
【特許文献４】特開2015-125307号公報
【特許文献５】特開2002-277919号公報
【発明の概要】
【発明が解決しようとする課題】
【０００６】
しかしながら、特許文献３及び４のように、操作ダイヤルをメカニカルにロックする機構を備えると、操作ダイヤルの構造が複雑になるという欠点がある。特に、上面に表示部を備えた操作ダイヤルでは、電子化によって機構を単純化して壊れにくくしたり、コストを下げたりすることが目的なので、メカニカルにロックする機構を追加して構造が複雑になれば、電子化の寄与がなくなってしまうという欠点がある。【０００７】
また、特許文献５のように、設定の変更を禁止する手段を操作ダイヤルとは別に設けて、操作ダイヤルによる設定の変更を禁止する構成とすると、操作性が低下するという欠点がある。【０００８】
本発明は、このような事情に鑑みてなされたもので、簡素な構成で誤操作を防止でき、かつ、操作性の高い設定装置及びカメラを提供することを目的とする。
【課題を解決するための手段】
【０００９】
上記課題を解決するための手段は、次のとおりである。【００１０】
（１）回転可能な操作ダイヤルと、操作ダイヤルの上面に備えられる表示部と、操作ダイヤルの上面への接触を検出する接触検出部と、操作ダイヤルの上面への接触が検出されるたびにロック状態とアンロック状態とを交互に切り替えるロック状態切替部と、操作ダイヤルの回転を検出する回転検出部と、アンロック状態の場合にのみ操作ダイヤルの回転に応じて設定を順番に切り替える設定切替部と、表示部の表示を制御する表示制御部であって、ロックボタンのイメージ画像及び現在選択されている設定を表示させる表示制御部と、を備えた設定装置。【００１１】
本態様によれば、操作ダイヤルを回転操作することにより、設定が順番に切り替えられる。操作ダイヤルには上面に表示部が備えられる。表示部には、現在選択されている設定が表示される。操作ダイヤルを回転操作して設定を切り替えると、表示部の表示も切り替えられる。したがって、表示部を見ながら操作ダイヤルを回転操作することにより、所望の設定に切り替えられる。【００１２】
また、本態様によれば、操作ダイヤルの上面を指でタッチすることにより、ロック状態とアンロック状態とが切り替えられる。すなわち、指でタッチするたびにロック状態とアンロック状態とが交互に切り替えられる。設定の切り替えは、アンロック状態の場合にのみ許容される。ロック状態では、操作ダイヤルを回転しても設定が切り替えられない。アンロック状態に設定して操作ダイヤルを回転させると、設定が順番に切り替わる。設定の切り替わりに応じて表示も切り替わる。このように、電子的にロック、アンロックすることにより、操作ダイヤルの構造を簡素化できる。特に上面の表示部分の電子化と相俟って、全体として簡素で壊れにくい構造にでき、かつ、操作性の高い操作ダイヤルを提供できる。【００１３】
（２）接触検出部は、ロックボタンのイメージ画像の表示部分への接触を検出する、上記（１）の設定装置。【００１４】
本態様によれば、操作ダイヤルの上面への接触を検出する際、ロックボタンのイメージ画像を表示している部分の接触が検出される。これにより、ロックボタンをタッチするという操作によって、ロック状態とアンロック状態とを切り替えることができる。【００１５】
（３）接触検出部は、ロックボタンのイメージ画像の表示領域に対応した検出領域を有する、上記（１）又は（２）の設定装置。【００１６】
本態様によれば、接触検出部が、ロックボタンのイメージ画像の表示領域に対応した検出領域を有する。これにより、誤操作を防止できる。なお、ロックボタンのイメージ画像の表示領域に対応した検出領域とは、ロックボタンのイメージ画像が表示されている領域を接触の検出領域とすることを意味する。【００１７】
（４）表示制御部は、ロック状態とアンロック状態とで表示部の表示形態を切り替える、上記（１）から（３）のいずれか１の設定装置。【００１８】
本態様によれば、ロック状態とアンロック状態とで表示部の表示形態が切り替えられる。これにより、ロック状態に設定されているかアンロック状態に設定されているかが明瞭になり、より良好な操作性が得られる。表示形態の切り替えは、両者を区別できればよい。たとえば、ロック状態とアンロック状態とで表示部の表示色を切り替える、ロック状態とアンロック状態とで表示部の明るさを切り替える、ロック状態の場合は表示を点滅させる等を例示できる。【００１９】
（５）表示制御部は、ロック状態とアンロック状態とでロックボタンのイメージ画像の表示形態を切り替える、上記（４）の設定装置。【００２０】
本態様によれば、ロック状態とアンロック状態とでロックボタンのイメージ画像の表示形態が切り替えられる。表示形態の切り替えは、両者を区別できればよい。たとえば、ロック状態とアンロック状態とでロックボタンのイメージ画像の色を切り替える、ロック状態の場合はロックボタンのイメージ画像内に「ＬＯＣＫ」の文字を表示する、ロック状態の場合はロックボタンのイメージ画像を点滅させる等を例示できる。【００２１】
（６）表示制御部は、ロック状態とアンロック状態とでロックボタンのイメージ画像の色を切り替える、上記（５）の設定装置。【００２２】
本態様によれば、ロック状態とアンロック状態とでロックボタンのイメージ画像の色が切り替えられる。たとえば、ロック状態とアンロック状態とでロックボタンのイメージ画像の色が反転される。【００２３】
（７）表示制御部は、操作ダイヤルの回転中心にロックボタンのイメージ画像を表示させ、かつ、現在設定表示位置に現在選択されている設定を表示させるよう表示部を制御する、上記（１）から（６）のいずれかの設定装置。【００２４】
本態様によれば、表示部には、操作ダイヤルの回転中心にロックボタンのイメージ画像が表示される。これにより、直感的な操作が可能になり、初めて使うユーザーであっても戸惑うことなく使用できる。【００２５】
（８）表示制御部は、現在設定表示位置に表示されている設定及び選択可能な設定を同一円周上に並べて表示させる、上記（７）の設定装置。【００２６】
本態様によれば、現在設定表示位置を表示されている設定及び選択可能な設定が同一円周上に並べて表示される。これにより、選択可能な設定を容易に把握でき、より操作性が向上する。【００２７】
（９）表示制御部は、現在設定表示位置に表示されている設定を他の選択可能な設定よりも大きく表示させる、上記（７）または（８）の設定装置。【００２８】
本態様によれば、現在設定表示位置に表示されている設定が、他よりも大きく表示される。これにより、現在選択されている設定を容易に視認でき、より操作性が向上する。【００２９】
（１０）上記（１）から（９）のいずれか１の設定装置を備えたカメラ。【００３０】
本態様によれば、上記（１）から（９）のいずれか１の設定装置がカメラに備えられる。【００３１】
（１１）ロック状態の場合に操作ダイヤルが回転すると、ロック状態であることを音で告知する音声出力部を備えた、上記（１０）のカメラ。【００３２】
本態様によれば、音により、ロック状態に設定されていることをユーザーに告知することができ、より操作性が向上する。【００３３】
（１２）ロック状態の場合に、ロック状態であることを表示するモニターを備えた、上記（１０）のカメラ。【００３４】
本態様によれば、表示により、ロック状態に設定されていることをユーザーに告知することができ、より操作性が向上する。
【発明の効果】
【００３５】
本発明によれば、簡素な構成で誤操作を防止でき、かつ、操作性の高い設定装置及びカメラを提供できる。
【図面の簡単な説明】
【００３６】
【図１】デジタルカメラの外観構成を示す正面図
【図２】デジタルカメラの外観構成を示す背面図
【図３】デジタルカメラの外観構成を示す平面図
【図４】レンズを装着したデジタルカメラの平面図
【図５】デジタルカメラの制御系の概略構成を示すブロック図
【図６】シャッタースピードダイヤルを含むシャッタースピード設定装置の概略構成を示すブロック図
【図７】シャッタースピードダイヤルの概略構成を示す縦断面図
【図８】設定可能なシャッタースピード及びシャッタースピードの表示部への表記の一覧表
【図９】シャッタースピードダイヤルの上面図
【図１０】回転操作に応じたシャッタースピードダイヤルの表示部の表示の遷移図
【図１１】シャッタースピード設定装置によるシャッタースピードの設定処理の手順を示すフローチャート
【図１２】ロック状態とアンロック状態との切り替えの処理手順を示すフローチャート
【図１３】アンロック状態に設定された場合とロック状態に設定された場合の文字盤画像の表示例を示す平面図
【図１４】感度の設定装置に適用した場合の文字盤画像の表示例を示す平面図
【図１５】アンロック状態に設定された場合とロック状態に設定された場合の文字盤画像の表示例を示す平面図
【図１６】露出補正値の設定装置に適用した場合の文字盤画像の表示例を示す平面図
【図１７】アンロック状態に設定された場合とロック状態に設定された場合の文字盤画像の表示例を示す平面図
【図１８】撮影モードの設定装置に適用した場合の文字盤画像の表示例を示す平面図
【図１９】アンロック状態に設定された場合とロック状態に設定された場合の文字盤画像の表示例を示す平面図
【図２０】接触検出部による接触の検出領域を限定する場合の概念図
【図２１】モニターに操作ダイヤルの設定状態を表示する場合の一例を示す背面図
【図２２】選択可能な設定の一部のみを表示部に表示する場合の表示部の表示例を示す平面図
【図２３】選択可能な設定の一部のみを表示部に表示する場合の表示部の他の表示例を示す平面図
【図２４】選択可能な設定の一部のみを表示部に表示する場合の表示部の他の表示例を示す平面図
【図２５】矩形状の表示部を有するシャッタースピードダイヤルの平面図
【発明を実施するための形態】
【００３７】
以下、添付図面にしたがって本発明を実施するための好ましい形態について詳説する。
【００３８】
《外観構成》
図１、図２、図３は、それぞれデジタルカメラの外観構成を示す正面図、背面図、平面図である。
【００３９】
本明細書では、光軸Ｌに沿う方向（図３のｚ方向）を前後方向とし、被写体側を前方向とする。また、光軸Ｌと直交する面において、イメージセンサー５０の長辺に沿う方向（図１のｘ方向）を横方向又は左右方向とし、イメージセンサー５０の短辺に沿う方向（図１のｙ方向）を縦方向又は上下方向とする。
【００４０】
本実施の形態のデジタルカメラ１は、レンズ交換式のデジタルカメラであり、かつ、ノンレフレックス型のデジタルカメラである。レンズ交換式とは、レンズを交換できるデジタルカメラのことである。ノンレフレックス型とは、レンズからの入射光を光学式ファインダーに導くためのレフレックスミラーのないデジタルカメラのことであり、ミラーレスとも称される。
【００４１】
図４は、レンズを装着したデジタルカメラの平面図である。同図に示すように、本実施の形態のデジタルカメラ１は、カメラボディ１０にレンズ２を装着して使用する。カメラボディ１０には、レンズ２を装着するためのレンズマウント１４、画像を表示するためのモニター１６、デジタルカメラ１を操作するための各種操作部材等が備えられる。
【００４２】
〈カメラボディ〉
カメラボディ１０は、前後方向の厚みの薄い矩形の箱形状を有する。カメラボディ１０は、一方側（図１において左側）の端部がグリップ部として構成される。ユーザーは、グリップ部を把持してレリーズ操作を行う。グリップ部には、正面側にグリップ２２が備えられ、背面側にサムレスト２４が備えられる。
【００４３】
〈レンズマウント〉
レンズマウント１４は、レンズ２の取り付け部である。図１に示すように、レンズマウント１４は、カメラボディ１０の正面に備えられる。レンズ２は、レンズマウント１４に着脱可能に装着される。
【００４４】
〈モニター〉
図２に示すように、モニター１６は、カメラボディ１０の背面に備えられる。モニター１６は、たとえば、カラーＬＣＤ（ＬＣＤ：Liquid Crystal Display／液晶ディスプレー）で構成される。モニター１６は、画像の表示に利用される他、ＧＵＩ（ＧＵＩ：Graphical User Interface／グラフィカルユーザーインタフェース）としても利用される。また、画像にはライブビュー画像が含まれる。ライブビューとは、イメージセンサーで捉えた画像をモニター１６にリアルタイムに表示することである。ライブビュー画像とは、ライブビューされた画像のことである。デジタルカメラ１を撮影モードに設定すると、モニター１６にライブビュー画像が表示される。ユーザーは、モニター１６の表示を見て画角、フォーカス状態を確認して、撮影を行う。
【００４５】
〈操作部材〉
カメラボディ１０には、デジタルカメラ１を操作するための操作部材として、シャッターボタン３０、電源レバー３１、再生ボタン３２、撮影設定ボタン３３、メニュー／ＯＫボタン３４、セレクターボタン３５、表示／ＢＡＣＫボタン３６、削除ボタン３７、シャッタースピードダイヤル１１０等が備えられる。
【００４６】
シャッターボタン３０は、グリップ部側のカメラボディ１０の上面に備えられる。シャッターボタン３０は、いわゆる半押しと全押しとからなる二段式のスイッチで構成される。シャッターボタン３０が半押しされると、測光、測距等の撮影準備が行われ、全押しされると、本撮影が行われる。
【００４７】
電源レバー３１は、シャッターボタン３０と同軸上に配置される。電源レバー３１は、回転式のレバーで構成される。電源レバー３１をオン位置に回転させると、デジタルカメラ１の電源がオンされ、オフ位置に回転させると、デジタルカメラ１の電源がオフされる。
【００４８】
再生ボタン３２は、デジタルカメラ１のモードを再生モードに切り替えるボタンである。再生ボタン３２は、カメラボディ１０の背面に備えられる。デジタルカメラ１のモードが撮影モードに設定されている状態で再生ボタン３２を押すと、デジタルカメラ１のモードが再生モードに切り替えられる。再生モードに設定されると、最後に撮影した画像がモニター１６に表示される。
【００４９】
なお、再生モードから撮影モードに切り替える機能は、シャッターボタン３０に割り当てられている。再生モードに設定されている状態でシャッターボタン３０を押すと、デジタルカメラ１のモードが撮影モードに切り替えられる。
【００５０】
撮影設定ボタン３３は、撮影条件の設定画面をモニター１６に呼び出すボタンである。撮影設定ボタン３３は、カメラボディ１０の背面に備えられる。撮影設定ボタン３３を押すと、撮影モード、フォーカスモード、感度、画像サイズ、画質モード、セルフタイマー等の各種撮影条件を設定するための画面がモニター１６に表示される。ユーザーは、モニター１６の表示に従い、セレクターボタン３５等を利用して所望の設定を行う。
【００５１】
メニュー／ＯＫボタン３４は、メニュー画面をモニター１６に呼び出すボタンである。また、メニュー／ＯＫボタン３４は、モニター１６に表示される選択事項、確認事項等についてＯＫを指示するボタンである。メニュー／ＯＫボタン３４は、カメラボディ１０の背面に備えられる。撮影モード又は再生モードに設定されている状態でメニュー／ＯＫボタン３４を押すと、モニター１６にメニュー画面が表示される。
【００５２】
セレクターボタン３５は、メニュー／ＯＫボタン３４を中心にして同一円上に配置された上下左右の４つのボタンで構成される。各ボタンには、デジタルカメラ１の設定状況に応じた機能が割り当てられる。たとえば、デジタルカメラ１が再生モードに設定されている場合、図２において右方向のボタンには１コマ送りの機能が割り当てられ、左方向のボタンには１コマ戻しの機能が割り当てられる。また、上方向のボタンにはズームインの機能が割り当てられ、下方向のボタンにはズームアウトの機能が割り当てられる。また、デジタルカメラ１が撮影モードに設定されている場合、図２において右方向のボタンには、ホワイトバランスの設定画面を呼び出す機能が割り当てられ、左方向のボタンには、セルフタイマーの設定画面を呼び出す機能が割り当てられる。また、上方向のボタンには、ＡＦモード（ＡＦ：Auto Focus）の設定画面を呼び出す機能が割り当てられ、下方向のボタンには、連写モードの設定画面を呼び出す機能が割り当てられる。さらに、モニター１６に各種設定画面を呼び出した場合には、画面上でカーソルを各方向に移動させるボタンとして機能する。
【００５３】
表示／ＢＡＣＫボタン３６は、モニター１６の表示形態の切り替えを指示するボタンである。また、表示／ＢＡＣＫボタン３６は、モニター１６の表示を１つ前の状態に戻すことを指示するボタンである。表示／ＢＡＣＫボタン３６は、カメラボディ１０の背面に備えられる。再生モード又は撮影モードに設定されている状態において、表示／ＢＡＣＫボタン３６が押されると、モニター１６の表示形態が切り替えられる。たとえば、再生モードに設定されている状態で表示／ＢＡＣＫボタン３６が押されると、モニター１６に表示されている画像の撮影条件、ヒストグラム等が画像に重ねて表示される。また、たとえば、撮影モードに設定されている状態で表示／ＢＡＣＫボタン３６が押されると、撮影条件、ヒストグラム等の各種情報がライブビュー画像に重ねて表示される。また、各種設定画面がモニター１６に表示されている状態で表示／ＢＡＣＫボタン３６が押されると、モニター１６の表示が１つ前の状態に戻される。これにより、選択事項、確認事項等をキャンセルできる。
【００５４】
削除ボタン３７は、モニター１６に表示されている撮影済み画像の削除を指示するボタンである。削除ボタン３７は、カメラボディ１０の背面に備えられる。撮影済み画像をモニター１６に表示している状態で削除ボタン３７を押すと、削除を確認する画面がモニター１６に表示される。モニター１６の表示に従って削除の実行を指示すると、再生中の撮影済み画像がメモリーカードから削除される。
【００５５】
シャッタースピードダイヤル１１０は、操作ダイヤルの一例であり、シャッタースピードの設定に使用される。シャッタースピードダイヤル１１０は、カメラボディ１０の上面に備えられる。本実施の形態のデジタルカメラ１では、グリップ部と反対側の端部に備えられている。ユーザーは、シャッタースピードダイヤル１１０を回転操作して、撮影時のシャッタースピードを設定する。シャッタースピードダイヤル１１０を含むシャッタースピードの設定装置の構成については、後に詳述する。
【００５６】
《制御系》
図５は、デジタルカメラの制御系の概略構成を示すブロック図である。
【００５７】
デジタルカメラ１は、イメージセンサー５０、イメージセンサー駆動部５２、シャッター５４、シャッター駆動部５６、アナログ信号処理部５８、画像データ入力部６０、ワークメモリ６２、データメモリ６４、デジタル信号処理部６６、記録制御部６８、モニター駆動部７０、操作部７４、システムコントローラー８０等を有する。
【００５８】
イメージセンサー５０は、レンズ２を介して結像した被写体の光学像を電気信号に変換して出力する。イメージセンサー５０には、ＣＣＤイメージセンサー（ＣＣＤ：Charged Coupled Device）、ＣＭＯＳイメージセンサー（ＣＭＯＳ：Complementary Metal Oxide Semiconductor）等の公知のイメージセンサーが使用される。
【００５９】
イメージセンサー駆動部５２は、システムコントローラー８０からの指令に応じて、イメージセンサー５０を駆動する。
【００６０】
シャッター５４は、スクエア型のフォーカルプレーンシャッターで構成され、イメージセンサー５０の直前に配置される。
【００６１】
シャッター駆動部５６は、システムコントローラー８０からの指令に応じて、シャッター５４を駆動する。
【００６２】
アナログ信号処理部５８は、イメージセンサー５０から出力された信号を取り込み、相関二重サンプリング処理、増幅処理等の所要の信号処理を施す。また、アナログ信号処理部５８は、所要の信号処理を施したアナログの画像信号をデジタルの画像信号に変換して出力する。
【００６３】
画像データ入力部６０は、システムコントローラー８０からの指令に応じて、アナログ信号処理部５８から出力されるデジタルの画像信号を取り込む。取り込まれた１枚分の画像データは、ワークメモリ６２に格納される。
【００６４】
ワークメモリ６２は、作業用のメモリとして利用される。データメモリ６４は、ＥＥＰＲＯＭ （ＥＥＰＲＯＭ：Electrically Erasable Programmable Read Only Memory）等の不揮発性メモリで構成され、制御等に必要なデータが記憶される。
【００６５】
デジタル信号処理部６６は、ワークメモリ６２に取り込まれた画像データに対して、同時化処理、ホワイトバランス補正、ガンマ補正、輪郭補正等の所要の信号処理を施し、輝度データ（Ｙデータ）と色差データ（Ｃｒ，Ｃｂデータ）とからなる所定の画像データを生成する。
【００６６】
記録制御部６８は、システムコントローラー８０からの指令に応じて、メモリーカード７８にアクセスし、データを読み書きする。撮影により得られた画像データは、メモリーカード７８に記録される。
【００６７】
モニター駆動部７０は、システムコントローラー８０からの指令に応じて、モニター１６を駆動する。
【００６８】
操作部７４は、シャッターボタン３０、電源レバー３１、再生ボタン３２、撮影設定ボタン３３、メニュー／ＯＫボタン３４、セレクターボタン３５、表示／ＢＡＣＫボタン３６、削除ボタン３７、シャッタースピードダイヤル１１０等を含み、各操作部材の操作に応じた信号をシステムコントローラー８０に出力する。
【００６９】
システムコントローラー８０は、デジタルカメラ１の各部の動作を制御する制御部である。システムコントローラー８０は、マイクロコンピューターで構成される。すなわち、マイクロコンピューターが所定の制御プログラムを実行することによりシステムコントローラー８０として機能し、デジタルカメラ１の各部の動作を制御する制御部として機能する。
【００７０】
システムコントローラー８０は、レンズ２の制御部としても機能する。システムコントローラー８０は、レンズ２に備えられたレンズ駆動部２ａを介して、レンズ２の動作を制御する。レンズ２は、絞り、フォーカスレンズ等を備える。レンズ駆動部２ａは、絞りを駆動する絞り駆動部、フォーカスレンズを駆動するフォーカスレンズ駆動部等を備える。
【００７１】
《シャッタースピード設定装置》
上記のように、本実施の形態のデジタルカメラ１は、シャッタースピードダイヤル１１０で撮影時のシャッタースピードを設定する。
【００７２】
図６は、シャッタースピードダイヤルを含むシャッタースピード設定装置の概略構成を示すブロック図である。
【００７３】
シャッタースピード設定装置１００は、設定装置の一例であり、シャッタースピードを設定する。シャッタースピード設定装置１００は、上面（天面）に表示部１１０Ａを備えたシャッタースピードダイヤル１１０と、指標１１２と、シャッタースピードダイヤル１１０の回転を検出する回転検出部１１４と、シャッタースピードを切り替える設定切替部１１６と、表示部１１０Ａの表示を制御する表示制御部１１８と、シャッタースピードの切り替えをロック、アンロックするロック状態切替部１２０と、を備えて構成される。
【００７４】
〈シャッタースピードダイヤル〉
図７は、シャッタースピードダイヤルの概略構成を示す縦断面図である。
【００７５】
シャッタースピードダイヤル１１０は、文字盤を構成する円盤状のディスプレー１３０と、エンドレスに回転可能な操作リング１３２と、操作リング１３２の回転操作にクリック感を発生させるクリック機構１３４と、を備える。
【００７６】
〔ディスプレー〕
ディスプレー１３０は、シャッタースピードダイヤル１１０の文字盤を構成する。ディスプレー１３０は、上面に表示面を有し、その表示面がシャッタースピードダイヤル１１０の上面を構成する。すなわち、ディスプレー１３０の表示面がシャッタースピードダイヤル１１０の表示部１１０Ａを構成する。ディスプレー１３０は、たとえば、ＬＣＤで構成される。
【００７７】
ディスプレー１３０は、シャッタースピードダイヤル１１０を支持するシャッタースピードダイヤル支持フレーム１２６に固定して取り付けられる。
【００７８】
シャッタースピードダイヤル支持フレーム１２６は、支持フレーム本体１２６Ａと、ディスプレー支持フレーム１２６Ｂと、を有する。支持フレーム本体１２６Ａは、カメラボディ１０に固定して取り付けられる。
【００７９】
ディスプレー支持フレーム１２６Ｂは、ベース部１２６Ｂ２と、支柱部１２６Ｂ１と、を有する。ベース部１２６Ｂ２は、板形状を有し、支持フレーム本体１２６Ａに固定して取り付けられる。支柱部１２６Ｂ１は、柱形状を有し、ベース部１２６Ｂ２に固定して取り付けられる。ディスプレー１３０は、支柱部１２６Ｂ１の頂部に固定して取り付けられる。
【００８０】
ディスプレー１３０の表示面（上面）には、接触を検知するタッチセンサー１３６が備えられる。タッチセンサー１３６は、接触検出部の一例であり、ディスプレー１３０の表示面への指の接触を検知する。なお、上記のように、ディスプレー１３０の表示面は、シャッタースピードダイヤル１１０の上面を構成するので、タッチセンサー１３６はシャッタースピードダイヤル１１０の上面への接触を検知することになる。タッチセンサー１３６の検出領域は、ディスプレー１３０の表示面の全面である。
【００８１】
〔操作リング〕
操作リング１３２は、シャッタースピードダイヤル１１０の回転操作部を構成する。操作リング１３２は、ディスプレー１３０の外周をエンドレスに正逆回転可能に設けられる。操作リング１３２は、その下部同軸上に円筒状の軸部１３２Ａを有する。操作リング１３２は、支持フレーム本体１２６Ａに備えられた軸受１４０に軸部１３２Ａを支持されて、エンドレスに正逆回転可能に支持される。なお、本明細書では、図７において、符号Ｒ＋の矢印で示す回転方向（反時計回りの回転方向）をプラス方向、符号Ｒ−の矢印で示す回転方向（時計回りの回転方向）をマイナス方向とする。プラスの回転方向Ｒ＋とマイナスの回転方向Ｒ−は、相互に逆の回転方向となる。
【００８２】
〔クリック機構〕
クリック機構１３４は、操作リング１３２の回転操作にクリック感を発生させる。クリック機構１３４は、クリック溝板金１３４Ａと、クリックボール１３４Ｂと、クリックバネ１３４Ｃと、を備える。
【００８３】
クリック溝板金１３４Ａは、中央に円形の穴を備えた円盤形状を有する。クリック溝板金１３４Ａは、その中央の穴に操作リング１３２の軸部１３２Ａが通されて、操作リング１３２の軸部１３２Ａに固定される。クリック溝板金１３４Ａは、操作リング１３２と同軸上に配置され、操作リング１３２と共に回転する。
【００８４】
クリック溝板金１３４Ａには、同一円周上に一定の間隔で複数のクリック溝１３４ａが備えられる。クリック溝１３４ａは、球面状の窪みとして、クリック溝板金１３４Ａの上面に備えられる。このクリック溝１３４ａの配置間隔が、クリック感を発生させる間隔となる。
【００８５】
クリックボール１３４Ｂは、クリック溝１３４ａに嵌入して、クリック感を発生させる部材である。クリックボール１３４Ｂは、シャッタースピードダイヤル支持フレーム１２６の支持フレーム本体１２６Ａに備えられる。支持フレーム本体１２６Ａには、クリックボール１３４Ｂを収容するクリックボール収容穴１２６Ａ１が備えられる。クリックボール収容穴１２６Ａ１は、有底の穴として、操作リング１３２の回転軸と平行に設けられる。また、クリックボール収容穴１２６Ａ１は、クリック溝１３４ａと対向する位置に備えられる。
【００８６】
クリックバネ１３４Ｃは、クリックボール１３４Ｂをクリック溝板金１３４Ａに向けて付勢する部材である。クリックバネ１３４Ｃは、クリックボール収容穴１２６Ａ１に収容される。
【００８７】
以上のように構成されるクリック機構１３４の作用は次のとおりである。操作リング１３２を回転させると、クリック溝板金１３４Ａが回転する。クリック溝板金１３４Ａが回転すると、一定の角度間隔でクリックボール１３４Ｂがクリック溝１３４ａに嵌入する。これにより、一定の角度間隔でクリック感が発生する。また、クリック感が発生したところで回転を止めると、クリックボール１３４Ｂがクリック溝１３４ａに嵌入する。これにより、回転が止められる。すなわち、一定以上の負荷を掛けて回さない限り、停止状態が維持される。クリックボール１３４Ｂがクリック溝１３４ａに嵌入して回転が止められることをクリックストップと称する。
【００８８】
クリックストップする位置をクリックポジションとすると、クリックポジションの数はクリック溝１３４ａの数と同数になる。また、その間隔もクリック溝１３４ａの間隔と同じになる。１回転当たりのクリックポジションの数が１０の場合、クリック溝１３４ａの配置間隔は３６°となる。この場合、操作リング１３２を回転させると３６°間隔でクリック感が発生する。また、３６°の間隔でクリックストップできる。
【００８９】
〈回転検出部〉
回転検出部１１４は、シャッタースピードダイヤル１１０の回転方向及び回転量を検出する。回転検出部１１４は、ロータリーエンコーダーで構成され、操作リング１３２の軸部１３２Ａの回転を検出して、シャッタースピードダイヤル１１０の回転方向及び回転量を検出する。これにより、シャッタースピードダイヤル１１０の回転の操作方向及び操作量を検出できる。たとえば、１回転当たりのクリックポジションの数が１０の場合、プラス方向Ｒ＋に３６°回転したことを検出することにより、シャッタースピードダイヤル１１０がプラス方向Ｒ＋に１クリック分回転操作されたことを検出できる。回転検出部１１４の検出結果は、システムコントローラー８０に出力される。
【００９０】
〈指標〉
指標１１２は、カメラボディ１０に備えられる。指標１１２は、バー形状を有し、シャッタースピードダイヤル１１０の外周の一点を指し示すように配置される。本実施の形態のデジタルカメラ１では、図３に示すように、シャッタースピードダイヤル１１０に対して９時の位置に指標１１２が配置される。
【００９１】
ユーザーは、指標１１２を基準にシャッタースピードダイヤル１１０を回転操作する。すなわち、設定しようとするシャッタースピードの表示が指標１１２の位置に位置するように、シャッタースピードダイヤル１１０を回転操作する。
【００９２】
〈設定切替部〉
設定切替部１１６は、回転検出部１１４で検出されるシャッタースピードダイヤル１１０の回転に応じてシャッタースピードの設定を切り替える。すなわち、１クリック分の回転が検出されるたびにシャッタースピードの設定を１つずつ繰り上げる又は繰り下げる。シャッタースピードは、シャッタースピードダイヤル１１０がプラス方向Ｒ＋に回転されると繰り上げられ、マイナス方向Ｒ−に回転されると繰り下げられる。
【００９３】
なお、後述するように、ロック状態切替部１２０でシャッタースピードの切り替えがロックされた場合、設定切替部１１６は、シャッタースピードの切り替えを禁止される。すなわち、シャッタースピードダイヤル１１０が回転操作されても、シャッタースピードを切り替えず、現在の設定を維持する。
【００９４】
図８は、本実施の形態のデジタルカメラで設定可能なシャッタースピード、及び、シャッタースピードの表示部への表記の一覧表である。
【００９５】
同図に示すように、本実施の形態のデジタルカメラ１では、シャッタースピードの設定として、オート、バルブ、タイム、１秒、１／２秒、１／４秒、１／８秒、１／１５秒、１／３０秒、１／６０秒、１／１２５秒、１／１８０秒、１／２５０秒、１／５００秒、１／１０００秒、１／２０００秒、または１／４０００秒のいずれかを選択して設定できる。
【００９６】
ここで、「オート」とは、適正露出となるシャッタースピードをカメラが自動的に決定するモードのことである。「バルブ」とは、シャッターボタン３０を押している間、シャッターを開き、離すと閉じるモードのことである。「タイム」とは、露光時間をユーザーが指定するモードであり、主として長時間露光に使用される。露光時間の指定は別途行われる。
【００９７】
シャッタースピードは、オート、バルブ、タイム、１秒、１／２秒、１／４秒、１／８秒、１／１５秒、１／３０秒、１／６０秒、１／１２５秒、１／１８０秒、１／２５０秒、１／５００秒、１／１０００秒、１／２０００秒、１／４０００秒の順で順番に切り替えられる。なお、１／４０００秒の次はオートになる。すなわち、上記の順番でループする。
【００９８】
設定可能なシャッタースピードのデータ、すなわち、図８に示す表のデータは、データメモリ６４に記憶される。設定切替部１１６は、設定可能なシャッタースピードのデータをデータメモリ６４から読み出し、回転検出部１１４で検出されるシャッタースピードダイヤル１１０の回転に応じてシャッタースピードの設定を切り替える。
【００９９】
設定切替部１１６は、システムコントローラー８０の一機能として提供される。すなわち、システムコントローラー８０が所定の制御プログラムを実行することにより、設定切替部１１６として機能する。
【０１００】
〈表示制御部〉
表示制御部１１８は、シャッタースピードダイヤル１１０の表示部１１０Ａの表示を制御する。表示制御部１１８は、設定切替部１１６によるシャッタースピードの切り替わりに応じて、シャッタースピードダイヤル１１０の表示部１１０Ａの表示を制御し、シャッタースピードダイヤル１１０の上面（天面）に文字盤の画像を表示させる。
【０１０１】
表示制御部１１８は、システムコントローラー８０の一機能として提供される。すなわち、システムコントローラー８０が所定の制御プログラムを実行することにより、表示制御部１１８として機能する。表示制御部１１８は、図６に示すように、ディスプレー駆動部１４２を介してディスプレー１３０の駆動を制御し、シャッタースピードダイヤル１１０の表示部１１０Ａの表示を制御する。
【０１０２】
〔表示部の表示〕
図９は、シャッタースピードダイヤル１１０の上面図である。同図はシャッタースピードダイヤル１１０の表示部１１０Ａに表示される文字盤画像の一例を示している。
【０１０３】
図９に示すように、表示部１１０Ａには、ロックボタンのイメージ画像Ｌｂ及びシャッタースピードが表示される。
【０１０４】
ロックボタンとは、シャッタースピードの切り替えをロック、アンロックするボタンである。シャッタースピードの切り替えをロックすると、シャッタースピードダイヤル１１０によるシャッタースピードの切り替えが不能になる。すなわち、シャッタースピードダイヤル１１０を回転操作しても、シャッタースピードを切り替えられなくなる。
【０１０５】
ロック状態とアンロック状態の切り替えは、トグル式で行われる。すなわち、ロックボタンを押すたびにロック状態とアンロック状態とが交互に切り替えられる。
【０１０６】
ロックボタンは、表示部１１０Ａに表示されるイメージ画像Ｌｂなので、実際に押すことはできない。実際の検出はディスプレー１３０に備えられたタッチセンサー１３６で行われる。すなわち、タッチセンサー１３６でシャッタースピードダイヤル１１０の上面へのタッチを検出して、ロックボタンが押されたことを検出する。
【０１０７】
また、タッチセンサー１３６でロックボタンが押されたことが検出されると、ロックボタンのイメージ画像Ｌｂの表示形態が切り替えられる。これにより、ロックボタンが押され、ロック状態とアンロック状態とが切り替えられたことを確認できる。本実施の形態では、ロックボタンのイメージ画像Ｌｂの表示色を反転させて、表示形態を切り替える。この点については、後に詳述する。
【０１０８】
ロックボタンのイメージ画像Ｌｂは、表示部１１０Ａの中央に表示される。ロックボタンのイメージ画像Ｌｂは、実際のボタンを模した画像とされる。図９に示す例では、円形のボタンを模した画像をロックボタンのイメージ画像Ｌｂとして表示部１１０Ａに表示している。
【０１０９】
シャッタースピードは、シャッタースピードダイヤル１１０の回転中心を中心として同一円周上に一定間隔で表示される。この表示間隔はクリックポジションの設定間隔と同じである。したがって、たとえば、クリックポジションの設定間隔が３６°の場合、３６°間隔で表示される。
【０１１０】
表示部１１０Ａに表示されるシャッタースピードは逆数で表示される。すなわち、図８に示すように、１秒、１／２秒、１／４秒、１／８秒、１／１５秒、１／３０秒、１／６０秒、１／１２５秒、１／１８０秒、１／２５０秒、１／５００秒、１／１０００秒、１／２０００秒、及び１／４０００秒は、それぞれ１、２、４、８、１５、６０、１２５、１８０、２５０、５００、１０００、２０００、及び４０００と表示される。なお、オート（Ａｕｔｏ）、バルブ（Ｂｕｌｂ）、タイム（Ｔｉｍｅ）の各モードについては、それぞれＡ、Ｂ、Ｔと頭文字で簡略化して表示される。
【０１１１】
シャッタースピードの表示の並びは、切り替わりの順番である。すなわち、Ａ、Ｂ、Ｔ、１、２、４、８、１５、３０、６０、１２５、１８０、２５０、５００、１０００、２０００、４０００の順で表示される。
【０１１２】
また、シャッタースピードを表示する方向は、時計回りの方向（マイナス方向Ｒ−）である。すなわち、時計回りの方向（マイナス方向Ｒ−）に添ってＡ、Ｂ、Ｔ、１、２、４、８、１５、３０、６０、１２５、１８０、２５０、５００、１０００、２０００、４０００の順で表示される。
【０１１３】
表示する位置は、現在選択されているシャッタースピードが現在設定表示位置Ｐｏに表示されるように設定される。現在設定表示位置Ｐｏは、指標１１２の位置に設定される。本実施の形態のデジタルカメラ１では、９時の位置に指標１１２が配置されているので、９時の位置に現在設定表示位置Ｐｏが設定される。
【０１１４】
なお、図９では、現在設定表示位置Ｐｏを破線で示しているが、破線は説明の便宜上に示したものであり、表示部１１０Ａに実際に表示されるものではない。
【０１１５】
図９に示す例では、現在選択されているシャッタースピードが１／１２５秒の場合を示している。この場合、図９に示すように、１／１２５秒を表わす「１２５」が現在設定表示位置Ｐｏに表示される。
【０１１６】
現在設定表示位置Ｐｏに表示されるシャッタースピードについては、他のシャッタースピードよりも相対的に大きく表示される。すなわち、現在選択されているシャッタースピードについては、他のシャッタースピードよりも相対的に大きな文字サイズで表示される。これにより、現在選択されているシャッタースピードの値を明確にできる。
【０１１７】
表示部１１０Ａの表示は、シャッタースピードの切り替わりに連動して切り替えられる。すなわち、シャッタースピードダイヤル１１０の回転操作に連動して切り替えられる。
【０１１８】
図１０は、シャッタースピードダイヤルの回転操作に応じた表示部の表示の遷移図である。
【０１１９】
同図（Ｂ）は、同図（Ａ）に示す状態からプラス方向Ｒ＋に５クリック分回転させた場合の表示部１１０Ａの表示状態を示している。また、同図（Ａ）は、同図（Ｂ）に示す状態からマイナス方向Ｒ−に５クリック分回転させた場合の表示部１１０Ａの表示状態を示している。
【０１２０】
いま、シャッタースピードが１／１２５秒に設定されていると仮定する。この場合、図１０（Ａ）に示すように、現在設定表示位置Ｐｏには１／１２５秒を表わす「１２５」が表示される。
【０１２１】
シャッタースピードが１／１２５秒に設定されている状態からシャッタースピードダイヤル１１０をプラス方向Ｒ＋に５クリック分回転させると、シャッタースピードが５段繰り上がり、１／２０００秒に設定される（図８参照）。この結果、同図（Ｂ）に示すように、現在設定表示位置Ｐｏに１／２０００秒を表わす「２０００」が表示される。
【０１２２】
また、シャッタースピードが１／２０００秒に設定されている状態からシャッタースピードダイヤル１１０をマイナス方向Ｒ−に５クリック分回転させると、シャッタースピードが５段繰り下がり、１／１２５秒に設定される（図８参照）。この結果、同図（Ａ）に示すように、現在設定表示位置Ｐｏに「１２５」が表示される。
【０１２３】
このように、表示部１１０Ａの表示は、シャッタースピードダイヤル１１０の回転量及び回転方向に応じて切り替えられる。
【０１２４】
切り替えの際、表示制御部１１８は、文字盤画像を回転させて表示を切り替える。すなわち、文字盤にシャッタースピードがプリントされたシャッタースピードダイヤルを操作した場合と同じように、文字盤画像を回転させて表示を切り替える。たとえば、シャッタースピードダイヤル１１０をプラス方向Ｒ＋（反時計回りの方向）に回転させて、シャッタースピードを１／１２５秒から１／２０００秒に切り替える場合（図１０（Ａ）に示す状態から図１０（Ｂ）に示す状態に切り替える場合）は、シャッタースピードダイヤル１１０の回転中心を中心として、文字盤画像をプラス方向Ｒ＋に回転させながら、表示を切り替える。また、たとえば、シャッタースピードダイヤル１１０をマイナス方向Ｒ−（時計回りの方向）に回転させて、シャッタースピードを１／２０００秒から１／１２５秒に切り替える場合（図１０（Ｂ）に示す状態から図１０（Ａ）に示す状態に切り替える場合）は、シャッタースピードダイヤル１１０の回転中心を中心として、文字盤画像をマイナス方向Ｒ−に回転させながら、表示を切り替える。すなわち、操作リング１３２の回転に連動して、ディスプレー１３０も回転しているように、表示を切り替える。これにより、文字盤にシャッタースピードがプリントされた従前のシャッタースピードダイヤルと同様の操作感でシャッタースピードダイヤル１１０を操作できる。
【０１２５】
なお、シャッタースピードの切り替えがロックされた場合、シャッタースピードの切り替えは行われないので、シャッタースピードダイヤル１１０が回転操作されても、表示部１１０Ａの表示は切り替わらない。この点については、後に詳述する。
【０１２６】
〈ロック状態切替部〉
ロック状態切替部１２０は、タッチセンサー１３６の検出結果に基づいて、シャッタースピードの切り替えをロック、アンロックする。すなわち、ロック状態とアンロック状態とに切り替える処理を行う。ロック状態とは、シャッタースピードの切り替えをロックする状態であり、シャッタースピードの切り替えを不能とする状態である。したがって、ロック状態では、シャッタースピードダイヤル１１０を回転操作しても、設定は切り替わらない。一方、アンロック状態とは、シャッタースピードの切り替えのロックを解除した状態であり、操作が有効な状態である。アンロック状態では、シャッタースピードダイヤル１１０の回転操作に応じて、シャッタースピードが切り替えられる。
【０１２７】
ロック状態、アンロック状態の切り替えはトグル式で行われる。すなわち、タッチセンサー１３６でシャッタースピードダイヤル１１０の上面への接触が検出されるたびにロック状態とアンロック状態とが交互に切り替えられる。
【０１２８】
ロック状態に設定されると、シャッタースピードの切り替えが禁止される。すなわち、シャッタースピードダイヤル１１０を回転操作しても、シャッタースピードが切り替えられなくなる。
【０１２９】
設定切替部１１６は、ロック状態切替部１２０によるロック、アンロックの設定に応じて、シャッタースピードの設定の切り替え処理を行う。
【０１３０】
ロック状態切替部１２０は、システムコントローラー８０の一機能として提供される。すなわち、システムコントローラー８０が所定の制御プログラムを実行することにより、ロック状態切替部１２０として機能する。
【０１３１】
《シャッタースピード設定装置の作用》
〈シャッタースピードの設定処理〉
シャッタースピード設定装置１００は、シャッタースピードダイヤル１１０の回転操作に応じてシャッタースピードを設定する。
【０１３２】
図１１は、シャッタースピード設定装置によるシャッタースピードの設定処理の手順を示すフローチャートである。
【０１３３】
デジタルカメラ１の電源がオンされると、前回の設定が復元される（ステップＳ１０）。すなわち、電源オフ時に設定されていたシャッタースピードに設定される。また、電源オフ時にシャッタースピードの切り替えがロックされていた場合には、ロック状態に設定される。電源オフ時の設定情報はデータメモリ６４から読み出す。
【０１３４】
次に、設定したシャッタースピードの情報に基づいてシャッタースピードダイヤル１１０の表示部１１０Ａに文字盤画像を表示する（ステップＳ１１）。
【０１３５】
この後、シャッタースピードダイヤル１１０の操作の有無が判定される（ステップＳ１２）。シャッタースピードダイヤル１１０が回転操作されると、アンロック状態か否かが判定される（ステップＳ１３）。
【０１３６】
アンロック状態の場合、操作された回転方向及び回転量（クリック数）に応じて、シャッタースピードが切り替えられる（ステップＳ１４）。そして、その設定の切り替えに連動して、表示部１１０Ａの表示が切り替えられる（ステップＳ１５）。
【０１３７】
一方、アンロック状態ではない場合、すなわち、ロック状態の場合、回転操作しても、設定切替部１１６は、切り替えを受け付けない。この場合、シャッタースピードの設定は変わらず、表示部１１０Ａの表示も変化しない。
【０１３８】
シャッタースピードを切り替える場合は、シャッタースピードの切り替えのロックを解除する。ロックを解除するためには、ロックボタンを１回押す。すなわち、シャッタースピードダイヤル１１０の上面を１回タッチする。これにより、シャッタースピードの切り替えのロックが解除され、アンロック状態に設定される。
【０１３９】
このように、シャッタースピードの切り替えは、アンロック状態に設定されている場合にのみ有効とされる。ロック状態に設定されている場合は、シャッタースピードダイヤル１１０を回転操作しても、操作は無効とされ、設定は操作前の状態が維持される。
【０１４０】
この後、電源がオフされたか否かが判定され（ステップＳ１６）、電源がオフされると、現在の設定をデータメモリ６４に格納して（ステップＳ１７）、処理を終了する。
【０１４１】
〈ロック状態とアンロック状態の切替処理〉
ロック状態とアンロック状態の切り替えは、シャッタースピードダイヤル１１０の上面へタッチすることで行われる。そして、その切り替えはトグル式で行われる。
【０１４２】
図１２は、ロック状態とアンロック状態との切り替えの処理手順を示すフローチャートである。
【０１４３】
シャッタースピードダイヤル１１０の上面へのタッチの有無が判定される（ステップＳ２０）。
【０１４４】
シャッタースピードダイヤル１１０の上面へタッチが検出されると、ロック状態とアンロック状態とが切り替えられる（ステップＳ２１）。すなわち、ロック状態に設定されていた場合は、アンロック状態に切り替えられ、アンロック状態に設定されていた場合はロック状態に切り替えられる。
【０１４５】
ロック状態に切り替えられることにより、シャッタースピードダイヤル１１０からのシャッタースピードの切り替えが無効になる。これにより、シャッタースピードダイヤル１１０を回転操作しても、シャッタースピードの切り替えができなくなる。
【０１４６】
一方、アンロック状態に切り替えられることにより、シャッタースピードダイヤル１１０からのシャッタースピードの切り替えが有効になる。これにより、シャッタースピードダイヤル１１０を回転操作すると、シャッタースピードを切り替えられる。
【０１４７】
ロック状態とアンロック状態との切り替えが行われると、ロックボタンのイメージ画像Ｌｂの表示色が切り替えられる（ステップＳ２２）。すなわち、表示色が反転される。
【０１４８】
図１３は、アンロック状態に設定された場合とロック状態に設定された場合の文字盤画像の表示例を示す平面図である。同図（Ａ）は、アンロック状態に設定された場合の文字盤画像の表示例を示す平面図である。同図（Ｂ）は、ロック状態に設定された場合の文字盤画像の表示例を示す平面図である。
【０１４９】
同図（Ａ）に示すように、アンロック状態に設定された場合、ロックボタンのイメージ画像Ｌｂは、ロックボタンの外形を示す枠線の内側が白色で表示される。
【０１５０】
一方、同図（Ｂ）は、ロック状態に設定された場合、ロックボタンのイメージ画像Ｌｂは、ロックボタンの外形を示す枠線の内側が黒色で表示される。
【０１５１】
このように、ロックボタンのイメージ画像Ｌｂをロック状態、アンロック状態の切り替わりに応じて切り替えることにより、現在の設定状態を明瞭にできる。
【０１５２】
この後、電源がオフされたか否かが判定され（ステップＳ２３）、電源がオフされると、現在の設定をデータメモリ６４に格納して（ステップＳ２４）、処理を終了する。
【０１５３】
以上説明したように、本実施の形態のシャッタースピード設定装置１００によれば、シャッタースピードダイヤル１１０の上面を指でタッチすることにより、シャッタースピードの切り替えをロック、アンロックできる。これにより、適切に誤操作を防止できる。
【０１５４】
また、ロック状態とアンロック状態の切り替えはトグル式で行われるため、簡単にロック、アンロックを切り替えることができる。
【０１５５】
また、アンロック中にシャッタースピードダイヤル１１０を回転操作する際、表示部１１０Ａが指で隠れることがないため、シャッタースピードの設定操作を容易に行うことができる。
【０１５６】
また、メカニカルな機構でロック、アンロックするのではなく、電子的にロック、アンロックするため、シャッタースピードダイヤル１１０の構造を簡素化できる。
【０１５７】
さらに、表示部１１０Ａには、ロックボタンのイメージ画像Ｌｂが表示されるため、直感的に操作でき、初めて使うユーザーであっても戸惑うことなく使用できる。
【０１５８】
《変形例》
〈その他の設定装置〉
上記実施の形態では、本発明をシャッタースピードの設定装置に適用した場合を例に説明したが、本発明の適用は、これに限定されるものではない。
【０１５９】
（１）感度の設定装置
図１４は、本発明を感度の設定装置に適用した場合の文字盤画像の表示例を示す平面図である。
【０１６０】
感度の設定装置に適用した場合、操作ダイヤルである感度ダイヤル１１０ａの表示部１１０Ａには、設定可能な感度が表示される。
【０１６１】
図１４は、ＩＳＯ２００からＩＳＯ１２８００までの間で１／３段のステップ幅でＩＳＯ感度（ＩＳＯ：International Organization for Standardization／国際標準化機構）を設定する場合の文字盤画像の表示例を示している。この場合、ＩＳＯ感度として、ＩＳＯ２００、ＩＳＯ２５０、ＩＳＯ３２０、ＩＳＯ４００、ＩＳＯ５００、ＩＳＯ６４０、ＩＳＯ８００、ＩＳＯ１０００、ＩＳＯ１２５０、ＩＳＯ１６００、ＩＳＯ２０００、ＩＳＯ２５００、ＩＳＯ３２００、ＩＳＯ４０００、ＩＳＯ５０００、ＩＳＯ６４００、ＩＳＯ８０００、ＩＳＯ１００００、またはＩＳＯ１２８００のいずれかを選択して設定できる。
【０１６２】
図１４に示すように、感度の設定装置に適用した場合も、感度ダイヤル１１０ａの表示部１１０Ａには、中央部分にロックボタンのイメージ画像Ｌｂが表示される。
【０１６３】
図１５は、アンロック状態に設定された場合とロック状態に設定された場合の文字盤画像の表示例を示す平面図である。同図（Ａ）は、アンロック状態に設定された場合の文字盤画像の表示例を示す平面図である。同図（Ｂ）は、ロック状態に設定された場合の文字盤画像の表示例を示す平面図である。
【０１６４】
同図（Ａ）に示すように、アンロック状態に設定された場合、ロックボタンのイメージ画像Ｌｂは、ロックボタンの外形を示す枠線の内側が白色で表示される。
【０１６５】
一方、同図（Ｂ）に示すように、ロック状態に設定された場合、ロックボタンのイメージ画像Ｌｂは、ロックボタンの外形を示す枠線の内側が黒色で表示される。
【０１６６】
（２）露出補正値の設定装置
図１６は、本発明を露出補正値の設定装置に適用した場合の文字盤画像の表示例を示す平面図である。
【０１６７】
露出補正値の設定装置に適用した場合、操作ダイヤルである露出補正ダイヤル１１０ｂの表示部１１０Ａには、設定可能な露出補正値が表示される。
【０１６８】
図１６は、−３から＋３までの間で１／３段のステップ幅で露出補正値を設定する場合の文字盤画像の表示例を示している。この場合、露出補正値として、−３、−２・２／３、−２・１／３、−２、−１・２／３、−１・１／３、−１、−２／３、−１／３、０、＋１／３、＋２／３、＋１、＋１・１／３、＋１・２／３、＋２、＋２・１／３、＋２・２／３、または＋３のいずれかを選択して設定できる。なお、−３と−２との間、−２と−１との間、−１と０との間、０と＋１との間、＋１と＋２との間、＋２と＋３との間は、それぞれ設定可能な露出補正値をドットで表示している。
【０１６９】
図１６に示すように、露出補正値の設定装置に適用した場合も、露出補正ダイヤル１１０ｂの表示部１１０Ａには、中央部分にロックボタンのイメージ画像Ｌｂが表示される。
【０１７０】
図１７は、アンロック状態に設定された場合とロック状態に設定された場合の文字盤画像の表示例を示す平面図である。同図（Ａ）は、アンロック状態に設定された場合の文字盤画像の表示例を示す平面図である。同図（Ｂ）は、ロック状態に設定された場合の文字盤画像の表示例を示す平面図である。
【０１７１】
同図（Ａ）に示すように、アンロック状態に設定された場合、ロックボタンのイメージ画像Ｌｂは、ロックボタンの外形を示す枠線の内側が白色で表示される。
【０１７２】
一方、同図（Ｂ）に示すように、ロック状態に設定された場合、ロックボタンのイメージ画像Ｌｂは、ロックボタンの外形を示す枠線の内側が黒色で表示される。
【０１７３】
（３）撮影モードの設定装置
図１８は、本発明を撮影モードの設定装置に適用した場合の文字盤画像の表示例を示す平面図である。
【０１７４】
撮影モードの設定装置に適用した場合、操作ダイヤルであるモードダイヤル１１０ｃの表示部１１０Ａには、設定可能な撮影モードが表示される。
【０１７５】
図１８は、選択可能な撮影モードとして、オート、プログラム、シャッタースピード優先、絞り優先、及びマニュアルが用意されている場合の文字盤画像の表示例を示している。
【０１７６】
ここで、オートとは、適正露出となるように、絞り値とシャッタースピードをカメラが自動的に決定するモードをいう。オートは、表示部１１０Ａに「ＡＵＴＯ」と表示される。
【０１７７】
また、プログラムとは、露出を一定にしたまま、撮影者が絞り値とシャッタースピードの組み合わせを変更できるモードをいう。いわゆるプログラムシフトが可能な撮影モードのことである。プログラムは、表示部１１０Ａに「Ｐ」と表示される。
【０１７８】
シャッタースピード優先とは、ユーザーが選択したシャッタースピードに対して適正露出となるような絞り値をカメラが自動的に決定するモードをいう。シャッタースピード優先は、表示部１１０Ａに「Ｓ」と表示される。
【０１７９】
絞り優先とは、ユーザーが選択した絞り値に対して適正露出となるようなシャッタースピードをカメラが自動的に決定するモードをいう。絞り優先は、表示部１１０Ａに「Ａ」と表示される。
【０１８０】
マニュアルとは、シャッタースピード、絞り値をユーザーが選択するモードをいう。マニュアルは、表示部１１０Ａに「Ｍ」と表示される。
【０１８１】
撮影モードは、モードダイヤル１１０ｃをプラス方向Ｒ＋に回転させると、１クリックごとにオート（ＡＵＴＯ）、プログラム（Ｐ）、シャッタースピード優先（Ｓ）、絞り優先（Ａ）、マニュアル（Ｍ）の順で切り替えられる。
【０１８２】
図１８に示すように、撮影モードの設定装置に適用した場合も、モードダイヤル１１０ｃの表示部１１０Ａには、中央部分にロックボタンのイメージ画像Ｌｂが表示される。
【０１８３】
図１９は、アンロック状態に設定された場合とロック状態に設定された場合の文字盤画像の表示例を示す平面図である。同図（Ａ）は、アンロック状態に設定された場合の文字盤画像の表示例を示す平面図である。同図（Ｂ）は、ロック状態に設定された場合の文字盤画像の表示例を示す平面図である。
【０１８４】
同図（Ａ）に示すように、アンロック状態に設定された場合、ロックボタンのイメージ画像Ｌｂは、ロックボタンの外形を示す枠線の内側が白色で表示される。
【０１８５】
一方、同図（Ｂ）に示すように、ロック状態に設定された場合、ロックボタンのイメージ画像Ｌｂは、ロックボタンの外形を示す枠線の内側が黒色で表示される。
【０１８６】
このように、本発明は回転式の操作ダイヤルを使用した各種設定装置に適用できる。この他、たとえば、回転式の操作ダイヤルを使用して音量（ボリューム）を設定する設定装置等に適用できる。
【０１８７】
なお、操作ダイヤルに割り当てる機能をユーザーが選択できる構成としてもよい。たとえば、シャッタースピードダイヤルとしての機能、感度ダイヤルとしての機能、露出補正ダイヤルとしての機能をユーザーが選択できる構成としてもよい。この場合、操作ダイヤルに割り当てる機能の選択は、メニュー画面等で行う。あるいは、専用の切り替えボタンを設けて、押すたびに割り当てられる機能が切り替えられるようにしてもよい。
【０１８８】
〈接触検出部の変形例〉
上記実施の形態では、接触検出部をタッチセンサーで構成しているが、接触検出部の構成は、これに限定されるものではない。少なくともロックボタンのイメージ画像Ｌｂの表示部分への接触を検出できる構成のものであればよい。これにより、ロックボタンのイメージ画像Ｌｂの部分をタッチすれば、確実にロック状態とアンロック状態を切り替えることができ、安定した操作を実現できる。
【０１８９】
なお、ロックボタンのイメージ画像Ｌｂの部分への接触のみを検出する構成とすることもできる。この場合、接触検出部による接触の検出領域をロックボタンのイメージ画像Ｌｂの表示領域に対応した領域に限定する。
【０１９０】
図２０は、接触検出部による接触の検出領域を限定する場合の概念図である。同図において、斜線で示す領域Ｓが接触検出部であるタッチセンサー１３６の検出領域である。
【０１９１】
図２０に示すように、ロックボタンのイメージ画像Ｌｂの表示領域に対応した領域に、接触検出部であるタッチセンサー１３６の検出領域Ｓが設定されている。これにより、ロックボタンのイメージ画像Ｌｂが表示されている領域のみを接触の検出領域とすることができる。
【０１９２】
このようにロックボタンのイメージ画像Ｌｂが表示されている領域のみを接触の検出領域Ｓとすることにより、誤動作を適切に防止できる。すなわち、ロックボタンのイメージ画像Ｌｂが表示されている領域のみが接触の検出領域Ｓとされるので、他の領域を誤って触れてもロック状態とアンロック状態とが切り替わることがなく、安定した動作を実現できる。
【０１９３】
また、接触検出部は、いわゆる長押しを検出する構成としてもよい。すなわち、一定時間継続して接触したことを検出する構成としてもよい。たとえば、２秒以上継続して接触したことを検出して、ロック状態とアンロック状態とを切り替える構成とする。これにより、瞬間的な接触を排除でき、安定した切り替え動作が可能になる。なお、「接触」と認識する時間をユーザーが任意に設定できる構成としてもよい。
【０１９４】
この他、複数回連続して接触したことを検出する構成としてもよい。すなわち、複数回タップされた場合を検出する構成としてもよい。たとえば、２回タップされたことを検出して、ロック状態とアンロック状態とを切り替える構成にできる。なお、「接触」と認定する回数をユーザーが任意に設定できる構成としてもよい。
【０１９５】
〈ロック状態とアンロック状態の表示形態の他の例〉
上記実施の形態では、ロック状態とアンロック状態とでロックボタンのイメージ画像Ｌｂの表示色を切り替える構成としているが、ロック状態とアンロック状態とを区別するための表示形態は、これに限定されるものではない。
【０１９６】
この他、たとえば、文字盤画像の背景色をロック状態とアンロック状態とで切り替える、文字盤画像の明るさをロック状態とアンロック状態とで切り替える、ロック状態の場合はロックボタンのイメージ画像内に「ＬＯＣＫ」の文字を表示する、ロック状態の場合はロックボタンのイメージ画像を点滅させる等の形態を採用できる。
【０１９７】
〈ロック状態を告知する方法〉
（１）音による告知
デジタルカメラ１にスピーカー等の音声出力部が備えられている場合、音声出力部を利用して、ロック状態に設定されていることをユーザーに告知する構成としてもよい。たとえば、ロック状態に設定されている場合において、操作ダイヤルが回転操作されると、音声出力部から告知音が出力される構成とする。この場合、デジタルカメラ１には告知音出力制御部が備えられる。告知音出力制御部は、ロック状態に設定されている場合において、操作ダイヤルが回転操作されると、音声出力部から告知音を出力させる。
【０１９８】
また、デジタルカメラ１にスピーカー等の音声出力部が備えられている場合、操作ダイヤルの回転操作に連動して、擬似的な回転操作音を出力させてもよい。この場合、ロック状態とアンロック状態とで回転操作音を切り替えてもよい。
【０１９９】
（２）モニターでの告知
操作ダイヤルの設定状態をモニター１６に表示してもよい。
【０２００】
図２１は、モニターに操作ダイヤルの設定状態を表示する場合の一例を示す背面図である。
【０２０１】
撮影時にモニター１６にはライブビュー画像が表示されるが、そのライブビュー画像と共に撮影モードＩ１、測光モードＩ２、シャッタースピードＩ３、絞り値（Ｆ値）Ｉ４、ＩＳＯ感度Ｉ５、撮影可能枚数Ｉ６、撮影サイズＩ７、画像品質Ｉ８等の各種撮影情報が表示される。この撮影情報に操作ダイヤルの設定状態を含める。
【０２０２】
図２１に示す例では、操作ダイヤルであるシャッタースピードダイヤル１１０がロック状態に設定されている場合のモニター１６の表示例が示されている。ロック状態に設定されている場合、シャッタースピードＩ３の隣にロック状態であることを示す[LOCK]のアイコンＩ９が表示される。
【０２０３】
なお、アンロック状態の場合は、アイコンＩ９の表示は消される。すなわち、ロック状態に設定された場合にのみ[LOCK]のアイコンＩ９がモニター１６に表示される。
【０２０４】
このように、モニター１６にロック状態であることを示すことにより、操作ダイヤルの設定状態がより明確になり、操作性をより向上させることができる。
【０２０５】
図２１に示す表示は一例である。この他、ロック状態に設定されると、シャッタースピードの表示が点滅する、ロック状態に設定されると、シャッタースピードの表示が[LOCK]のアイコン表示に切り替わる等、種々の表示形態を採用できる。
【０２０６】
また、操作ダイヤルの回転操作に連動して表示を切り替えることもできる。たとえば、ロック状態に設定されている場合において、操作ダイヤルであるシャッタースピードダイヤル１１０が回転操作されると、[LOCK]のアイコンが表示される、シャッタースピードの表示が点滅する、シャッタースピードの表示が[LOCK]のアイコン表示に切り替わる、等の表示形態を採用することもできる。
【０２０７】
なお、カメラボディに電子ビューファインダーを備えている場合には、電子ビューファインダーにも操作ダイヤルの設定状態を表示することが好ましい。
【０２０８】
〈選択項目の表示形態の変形例〉
上記実施の形態では、操作ダイヤルをシャッタースピードダイヤルとして使用する場合において、選択可能なシャッタースピードを表示部１１０Ａに全て表示する構成としているが、一部のみを表示する構成としてもよい。
【０２０９】
図２２は、選択可能な設定の一部のみを表示部に表示する場合の表示部の表示例を示す平面図である。
【０２１０】
同図に示す例では、現在選択されているシャッタースピードのみを表示部１１０Ａに表示する場合の例を示している。この場合、現在選択されているシャッタースピードが現在設定表示位置Ｐｏに表示される。
【０２１１】
図２３は、選択可能な設定の一部のみを表示部に表示する場合の表示部の他の表示例を示す平面図である。
【０２１２】
同図に示す例では、現在選択されているシャッタースピードと、その前後２つのシャッタースピードを表示部１１０Ａに表示する場合の例を示している。この場合、現在選択されているシャッタースピードが現在設定表示位置Ｐｏに表示され、シャッタースピードダイヤル１１０をプラス方向Ｒ＋に１クリック分回転させた場合に設定されるシャッタースピードと、シャッタースピードダイヤル１１０をプラス方向Ｒ＋に２クリック分回転させた場合に設定されるシャッタースピードとが、現在設定表示位置Ｐｏを基準にマイナスの回転方向Ｒ−に添って一定の間隔で表示される。また、シャッタースピードダイヤル１１０をマイナス方向Ｒ−に１クリック分回転させた場合に設定されるシャッタースピードと、シャッタースピードダイヤル１１０をマイナス方向Ｒ−に２クリック分回転させた場合に設定されるシャッタースピードとが、現在設定表示位置Ｐｏを基準にプラスの回転方向Ｒ＋に添って一定の間隔で表示される。
【０２１３】
なお、図２３に示す例は、シャッタースピード１／１２５秒が選択されている場合の例を示している。この場合、現在設定表示位置Ｐｏには、シャッタースピード１／１２５秒を示す「１２５」が表示される。
【０２１４】
シャッタースピード１／１２５秒が選択されている場合において、シャッタースピードダイヤル１１０をプラス方向Ｒ＋に１クリック分回転させると、シャッタースピードは１／１８０秒に設定される。また、シャッタースピードダイヤル１１０をプラス方向Ｒ＋に２クリック分回転させると、シャッタースピードは１／２５０秒に設定される。したがって、この場合、現在設定表示位置Ｐｏを基準にマイナスの回転方向Ｒ−に添って「１８０」、「２５０」が一定の間隔で表示される。
【０２１５】
また、シャッタースピード１／１２５秒が選択されている場合において、シャッタースピードダイヤル１１０をマイナス方向Ｒ−に１クリック分回転させると、シャッタースピードは１／６０秒に設定される。また、シャッタースピードダイヤル１１０をマイナス方向Ｒ−に２クリック分回転させると、シャッタースピードは１／３０秒に設定される。したがって、この場合、現在設定表示位置Ｐｏを基準にプラスの回転方向Ｒ＋に添って「６０」、「３０」が一定の間隔で表示される。
【０２１６】
このように、現在選択されているシャッタースピードと、その前後のシャッタースピードを表示することにより、次に設定可能なシャッタースピードを確認でき、操作性をより向上させることができる。
【０２１７】
このような表示形態は、表示部１１０Ａの表示面積が小さい場合に特に有効である。
【０２１８】
図２４は、選択可能な設定の一部のみを表示部に表示する場合の表示部の他の表示例を示す平面図である。
【０２１９】
同図に示す例では、現在選択されているシャッタースピード、及び、その前後２つのシャッタースピードに加えて、設定可能なシャッタースピードの最大値及び最小値を表示部１１０Ａに表示する場合の例を示している。
【０２２０】
設定可能な項目の最大値は、最大値表示位置Ｐｍａｘに表示し、最小値は、最小値表示位置Ｐｍｉｎに表示する。最大値表示位置Ｐｍａｘは、現在設定表示位置Ｐｏを基準にプラスの回転方向Ｒ＋の上流側に設定され、最小値表示位置Ｐｍｉｎは、現在設定表示位置Ｐｏを基準にマイナスの回転方向Ｒ−の上流側に設定される。
【０２２１】
図２４に示す例では、設定可能なシャッタースピードの最大値が１／４０００秒、最小値が１秒の場合の例を示している。この場合、最大値表示位置Ｐｍａｘに「４０００」が表示され、最小値表示位置Ｐｍｉｎに「１」が表示される。また、図２４に示す例では、中間の間引いたシャッタースピードをドットで表示している。
【０２２２】
このように、設定可能な最大値及び最小値を表示することにより、設定可能な範囲を容易に把握でき、操作性をより向上させることができる。
【０２２３】
〈表示部の形態〉
上記実施の形態では、操作ダイヤルに備えられる表示部の形状が円形状とされているが、表示部の形状は、これに限定されるものではない。たとえば、矩形状、多角形状としてもよい。
【０２２４】
図２５は、矩形状の表示部を有するシャッタースピードダイヤルの平面図である。
【０２２５】
同図に示すシャッタースピードダイヤル１１０は、ディスプレー１３０が矩形状の表示面を有し、このディスプレー１３０の表示面が、シャッタースピードダイヤル１１０の表示部１１０Ａを構成している。
【０２２６】
なお、同図に示す例では、表示部１１０Ａに表示するシャッタースピードを一定の範囲に限定している。すなわち、現在選択されているシャッタースピードと、その前後のシャッタースピードのみを表示部１１０Ａに表示している。
【０２２７】
このように、表示部１１０Ａの形状は、必ずしも操作リング１３２の内周形状に合致した形状にする必要はなく、種々の形状を採用できる。
【０２２８】
〈表示部の他の例〉
上記実施の形態では、表示部を構成するディスプレーをＬＣＤで構成しているが、表示部を構成するディスプレーは、これに限定されるものではない。この他、たとえば、電子ペーパー、メモリ液晶ディスプレー、有機ＥＬディスプレー（EL:ElectroLuminescent）等の自発光式ディスプレー等でディスプレーを構成することもできる。
【０２２９】
電子ペーパーとは、紙と同レベルの薄さ、視認性を備えた薄型ディスプレーのことであり、表示内容を書き換えられるものをいう。メモリ液晶ディスプレーとは、電源をオフしても、画面に表示させた内容を維持できる機能を備えた液晶ディスプレーのことである。いずれも周囲が明るい環境でも良好な視認性を確保できる。また、カメラの電源をオフした場合であっても表示部の表示を確認できる。
【０２３０】
また、ディスプレーをＬＣＤで構成する場合、反射型ＬＣＤで構成することにより、明るい環境でも良好な視認性を確保できる。なお、ディスプレーを反射型ＬＣＤで構成する場合、照明を備えることが好ましい。
【０２３１】
〈その他の変形例〉
上記実施の形態では、回転検出部をロータリーエンコーダーで構成しているが、回転検出部の構成は、これに限定されるものではない。この他、回転ブラシ等を利用した公知の回転検出手段を採用することもできる。
【０２３２】
また、上記実施の形態では、クリック溝板金とクリックボールとでクリック機構を構成しているが、クリック機構の構成は、これに限定されるものではない。この他、板バネ等を利用した公知のクリック機構を採用することもできる。
【０２３３】
また、上記実施の形態では、本発明をデジタルカメラに適用した場合を例に説明したが、本発明の適用は、これに限定されるものではない。銀塩フイルムを使用したカメラにも同様に適用できる。この他、回転式の操作ダイヤルを組み込んだ電子機器にも適用できる。
【０２３４】
また、上記実施の形態では、レンズ交換式のカメラに本発明を適用した場合を例に説明したが、レンズ一体式のカメラにも同様に適用できる。
【０２３５】
更に、上記実施の形態では、ノンレフレックス型のカメラに本発明を適用した場合を例に説明したが、レフレックス型のカメラにも同様に適用できる。
【符号の説明】
【０２３６】
１  デジタルカメラ
２  レンズ
２ａ  レンズ駆動部
１０  カメラボディ
１４  レンズマウント
１６  モニター
２２  グリップ
２４  サムレスト
３０  シャッターボタン
３１  電源レバー
３２  再生ボタン
３３  撮影設定ボタン
３４  メニュー／ＯＫボタン
３５  セレクターボタン
３６  表示／ＢＡＣＫボタン
３７  削除ボタン
５０  イメージセンサー
５２  イメージセンサー駆動部
５４  シャッター
５６  シャッター駆動部
５８  アナログ信号処理部
６０  画像データ入力部
６２  ワークメモリ
６４  データメモリ
６６  デジタル信号処理部
６８  記録制御部
７０  モニター駆動部
７４  操作部
７８  メモリーカード
８０  システムコントローラー
１００  シャッタースピード設定装置
１１０  シャッタースピードダイヤル
１１０ａ  感度ダイヤル
１１０ｂ  露出補正ダイヤル
１１０ｃ  モードダイヤル
１１０Ａ  表示部
１１２  指標
１１４  回転検出部
１１６  設定切替部
１１８  表示制御部
１２０  ロック状態切替部
１２６  シャッタースピードダイヤル支持フレーム
１２６Ａ  支持フレーム本体
１２６Ａ１  クリックボール収容穴
１２６Ｂ  ディスプレー支持フレーム
１２６Ｂ１  支柱部
１２６Ｂ２  ベース部
１３０  ディスプレー
１３２  操作リング
１３２Ａ  軸部
１３４  クリック機構
１３４Ａ  クリック溝板金
１３４Ｂ  クリックボール
１３４Ｃ  クリックバネ
１３４ａ  クリック溝
１３６  タッチセンサー
１４０  軸受
１４２  ディスプレー駆動部
Ｉ１  撮影モード
Ｉ２  測光モード
Ｉ３  シャッタースピード
Ｉ４  絞り値
Ｉ５  ＩＳＯ感度
Ｉ６  撮影可能枚数
Ｉ７  撮影サイズ
Ｉ８  画像品質
Ｉ９  [LOCK]のアイコン
Ｌ  光軸
Ｌｂ  ロックボタンのイメージ画像
Ｐｍａｘ  最大値表示位置
Ｐｍｉｎ  最小値表示位置
Ｐｏ  現在設定表示位置
Ｒ＋  プラス方向
Ｒ−  マイナス方向
Ｓ  接触検出領域
Ｓ１０〜Ｓ１７  シャッタースピードの設定処理の手順
Ｓ２０〜Ｓ２４  ロック状態とアンロック状態との切り替えの処理手順
【図１】
0006491398.tif 000002
【図２】
0006491398.tif 000003
【図３】
0006491398.tif 000004
【図４】
0006491398.tif 000005
【図５】
0006491398.tif 000006
【図６】
0006491398.tif 000007
【図７】
0006491398.tif 000008
【図８】
0006491398.tif 000009
【図９】
0006491398.tif 000010
【図１０】
0006491398.tif 000011
【図１１】
0006491398.tif 000012
【図１２】
0006491398.tif 000013
【図１３】
0006491398.tif 000014
【図１４】
0006491398.tif 000015
【図１５】
0006491398.tif 000016
【図１６】
0006491398.tif 000017
【図１７】
0006491398.tif 000018
【図１８】
0006491398.tif 000019
【図１９】
0006491398.tif 000020
【図２０】
0006491398.tif 000021
【図２１】
0006491398.tif 000022
【図２２】
0006491398.tif 000023
【図２３】
0006491398.tif 000024
【図２４】
0006491398.tif 000025
【図２５】
0006491398.tif 000026